(57)【特許請求の範囲】
【請求項１】
カップ等の容器（９ａ）上面に載置可能な濾過具本体（１）と、内部にコーヒー、紅茶等を収容可能な袋体（５ａ）とからなり、容器（９ａ）上面に濾過具本体（１）を載置し前記袋体（５ａ）に熱湯等を注ぐことにより抽出液を容器内部に流下すべく濾過具本体（１）に前記袋体（５ａ）が取り付けられた濾過具であって、前記濾過具本体（１）は一対の帯片（２）を拡開可能に形成されてなり、該帯片（２）の各々には、中央部に夫々容器（９ａ）上部を外側より挟持可能な挟持片（４）が設けられてなり、且つ、該挟持片（４）の上側には容器（９ａ）の開口部上縁と当接可能な載置片（３）を設け、さらに、前記帯片（２）の各々に２本の縦折れ込み筋（２ｂ）を設けてなり、前記縦折れ込み筋（２ｂ）は、前記帯片（２）の両側端からそれぞれ該帯片（２）の長さ（Ｌ１）の１/５〜１/３内側の部位に上辺（２ｆ）の部位から下方向に設けるとともに、前記載置片（３）の両端側に２本の折れ込み筋（３ｃ）を形成しさらにその内側に２本の折れ込み筋（３ｄ）を形成し、前記内側の２本の折れ込み筋（３ｄ）のほぼ中央部において前記載置片（３）と前記袋体（５ａ）とを貼着（３ｂ）してなることを特徴とする濾過具。
【請求項２】
請求項１に記載の濾過具において、前記複数の折れ込み筋（２ｂ、３ｃ、３ｄ）は、貫通部分（ｐ）と非貫通部分（ｒ）とが交互にあるミシン目からなり、前記縦折れ込み筋（２ｂ）のミシン目が２〜６ｍｍの貫通部分（ｐ）と１〜３ｍｍの非貫通部分（ｒ）とからなることを特徴とする濾過具。
【請求項３】
請求項１又は２に記載の濾過具において、前記帯片（２）には、前記載置片（３）と前記挟持片（４）の間に切欠部（８）が横方向に設けられ、且つ、該切欠部（８）の下辺（８ｂ）が円弧形状に付形してなることを特徴とする濾過具。
【請求項４】
請求項３に記載の濾過具において、前記切欠部（８）の長さ（Ｌ２）が、前記帯片（２）の長さ（Ｌ１）の１／２〜４／５であることを特徴とする濾過具。
【請求項５】
請求項１に記載の濾過具において、前記載置片（３）と前記袋体（５ａ）とが熱板シール、超音波シール、ホットメルトのいずれかにより貼着（３ｂ）されていることを特徴とする濾過具。
【請求項６】
請求項１乃至５のいずれか一に記載の濾過具において、前記袋体（５ａ）に貼着する前記載置片（３）の貼着部（３ｂ）の表面がポリエチレンコートを施してなることを特徴とする濾過具。
【請求項７】
請求項１乃至６のいずれか一に記載の濾過具において、前記載置片（３）に貼着する前記袋体（５ａ）は、不織布またはパルプにポリプロピレンおよび／またはポリエチレン繊維を混和し抄紙して構成されてなることを特徴とする濾過具。
【請求項８】
請求項１乃至７のいずれか一に記載の濾過具を用い、袋体（５ａ）に焙煎粉砕したコーヒーを収容してなることを特徴とするコーヒー。
【請求項９】
請求項１乃至請求項８のいずれか一に記載の濾過具を用い、袋体（５ａ）に紅茶を収容してなることを特徴とする紅茶。
【請求項１０】
請求項１乃至請求項９のいずれか一に記載の濾過具を用い、袋体（５ａ）に日本茶、中国茶などの各種茶葉を収容してなることを特徴とする茶。
【発明の詳細な説明】
【０００１】
【発明の属する技術分野】
本発明は、濾過具に関する。さらに詳しくは、コーヒー、紅茶、日本茶、中国茶等の使い捨て可能な濾過具に関する。
【０００２】
【従来の技術】
従来より、カップ等の容器上面に載置可能な濾過具本体と、内部にコーヒー、紅茶等を収容可能な袋体とからなる濾過具が幅広く使用されている。この種の濾過具は、容器上面に濾過具本体を載置し、前記袋体に熱湯等を注ぐことにより抽出液を容器内部に流下させるものである。
【０００３】
この種の濾過具としては、特許第３０３２７２４号公報記載のものが公知である。該公報に記載される従来のコーヒー等の濾過具（図６）は、濾過具本体１と濾過袋５からなり、図６に示すように、まず、両帯片２，２を拡開し、その開口形状Ｋを環状（舟形）にして、カップ９等の容器の上部の外側面に挟持片４の内側面が当接するよう、濾過具本体１をカップ９に取り付ける（図７）。このようにカップ９に濾過具本体１を取り付けた後に、載置片３の中央付近を押し、カップ９の内側方向に載置片３を突出させて載置部３ａを形成する。その際、前記載置片３には折れ込み筋である谷折線３ｃ、山折線３ｄ，３ｄが設けられているので、容易で且つ確実に載置部３ａを形成することができる。載置部３ａを形成した後、該載置部３ａ下縁をカップ９の開口部上縁に当接させることで、濾過具本体１をカップ９に載置して固定する。
【０００４】
このように濾過具本体１をカップ９に載置したのち、濾過袋５にコーヒーの粉末、紅茶等の所定のものを収容して、前記濾過袋５に熱湯等を注ぐことにより、抽出液がカップ９内に流下する。
【０００５】
【発明が解決しようとする課題】
市場には種々の大きさのカップが存在し、近年マグカップといわれる比較的大きなカップが若者の間でよく使用されている。このような大きなサイズのカップでも使用できる濾過具が望まれている。
【０００６】
前記公報記載の濾過具をカップ９に取り付けた様子を図７に示す。図に示すように従来の濾過具は、その開口部の形状は舟形（流線形）であり、また、帯片２が略垂直に載置されるため挟持片４が末広がりになり得なかった。そのため、大きなカップに取り付けるには、カップより十分に大きな帯片２を備えた濾過具でなければならないという問題点があった。また、収納スペース削減や搬送コスト低減などを目的とし、コンパクトなサイズの濾過具で大きなカップに取り付けられるものが望まれていた。
【０００７】
更に、大きなカップに濾過具を取り付けたとき、濾過袋５（袋体５ａ）が帯片２、２から剥がれる、帯片２同士を連結する屈曲部２ａが分裂するなどの問題もあった。
【０００８】
本発明は、以上の問題点を解決するためになされたものであり、コンパクトな濾過具でありながら、比較的広い範囲の大きさのカップに対して広い開口部を確保しつつ、安定して取り付けられる濾過具を提供することを課題とする。
【０００９】
【課題を解決するための手段】
上記課題を解決するためになされた本発明に係わる請求項１記載の濾過具は、カップ等の容器９ａ上面に載置可能な濾過具本体１と、内部にコーヒー、紅茶等を収容可能な袋体５ａとからなり、容器９ａ上面に濾過具本体１を載置し前記袋体５ａに熱湯等を注ぐことにより抽出液を容器内部に流下すべく濾過具本体１に前記袋体５ａが取り付けられた濾過具であって、前記濾過具本体１は一対の帯片２を拡開可能に形成されてなり、該帯片２の各々には、中央部に夫々容器９ａ上部を外側より挟持可能な挟持片４が設けられてなり、且つ、該挟持片４の上側には容器９ａの開口部上縁と当接可能な載置片３を設け、さらに、前記帯片２の各々に２本の縦折れ込み筋２を設けてなることを特徴としている。
【００１０】
このように、挟持部６で容器９ａの上部を挟持し、挟持部６の上方に位置する載置部３ａを容器９ａの開口部上縁に載置するとき、縦折れ込み筋２ｂに沿って前記帯片２が折れ曲がり、濾過具の開口部は略六角形状に広く開き、コンパクトな濾過具であっても大きなカップ９に用いることが可能となる。また、広い開口部を確保することが可能となり、お湯を注ぎやすくなる。本発明における上記「紅茶等」とは、紅茶のほか、緑茶やほうじ茶などの日本茶、烏龍茶や鉄観音茶などの中国茶を含む。
【００１１】
本発明の濾過具にあって、前記縦折れ込み筋２ｂは、帯片２の両側端からそれぞれ該帯片２の長さＬ１の１/５〜１/３内側の部位に上辺２ｆの部位から下方向に設けられる。特に、垂直線に対して３０〜９０度の角度αで下方向に設けられていることが好ましい。
【００１２】
このように、該帯片２の上辺２ｆから垂直線に対して３０〜９０度の角度αで外側下方向に設けられている前記縦折れ込み筋２ｂを有するので、比較的小さな開口のカップに載置しても、濾過具の開口部はより広く開き、お湯を注ぎやすい。
【００１３】
このように角度αが３０〜９０度で外側下方向に設けられているので、濾過袋５を開くために該帯片２を拡開するとき、人差し指と親指により自然と該縦折れ込み筋２ｂに沿って該帯片２が折れ曲がり、その縦折れ込み筋２ｂに軽く曲がる癖がつく。その結果、六角形状の開口部を備えた濾過具を容易にカップに載置することができる。
【００１４】
本発明の濾過具にあっては、前記載置片３の両端側に２本の折れ込み筋３ｃが形成されており、さらにその内側に２本の折れ込み筋３ｄが形成されていて、前記内側の２本の折れ込み筋３ｄのほぼ中央部において前記載置片３と前記袋体５ａとを貼着３ｂしてなることが好ましい。
【００１５】
このように、該載置片３のほぼ中央部内面と前記袋体５ａとが貼着し、載置片３に少なくとも２の折れ込み筋３ｃ、３ｄが形成されているので、帯片２の拡開の際、この折れ込み筋３ｃ、３ｄにそって載置片３が内側に屈曲し、自動的に載置部３ａを形成することができる。
【００１６】
本発明の濾過具は請求項２記載の如く、前記複数の折れ込み筋２ｂ、３ｃ、３ｄは、貫通部分ｐと非貫通部分ｒとが交互にあるミシン目からなることを特徴とする。このような構成にすることによって、摘み部１１、１１を摘んで帯片２、２を拡開すると、載置片３の内側への折り曲げがさらに容易になる。
【００１７】
また、前記縦折れ込み筋２ｂのミシン目が３〜６ｍｍの貫通部分ｐと１〜３ｍｍの非貫通部分ｒとからなり、前記折れ込み筋３ｃ、３ｄのミシン目が１〜４ｍｍの貫通部分ｐと０．５〜２ｍｍの非貫通部分ｑとからなることが好ましい。
【００１８】
本発明の濾過具は請求項３記載の如く、前記帯片２には、前記載置片３と前記挟持片４の間に切欠部８が横方向に設けられ、且つ、該切欠部８の下辺８ｂが円弧形状に付形してなることを特徴とする。
【００１９】
このようにすると、カップの上縁の外周が帯片２、２の全長（長さＬ１×２）とほぼ同じ長さを有するカップ（いわゆるマグカップなど）に載置するとき、外カップの外周に該切欠部８の下辺８ｂ（該挟持片４の上辺）がほぼ沿うので、濾過具をカップ９にしっかりと載置することができる。前記円弧形状の半径は５０〜９０ｍｍであることが好ましい。
【００２０】
ここで、大きなカップ９に濾過具を取り付ける観点からすると、前記切欠部８はできるだけ大きな方が望ましい。一方、あまりに大きな切欠部を設けると濾過具全体の強度が低下してしまう。そこで、望ましい本発明の実施形態としては、請求項４記載の如く前記切欠部８の長さＬ２が、帯片２の長さＬ１の１／２〜４／５であることを特徴とする。
【００２１】
本発明の濾過具において請求項５、６に記載の如く、前記載置部３ａと前記袋体５ａとの貼着３ｂは、熱板シール、超音波シール、ホットメルトによりなされることが好ましい。すなわち、帯片２、２を拡開したとき、袋体５ａに引っ張られて内側への折り曲げられた載置片３が手指により内側に押す操作がなくとも自動的に形成される程度の貼着強度であればよいため、ノリなどを用いない粘着方法でよい。また、袋体５ａと貼着する載置部３ａの貼着部の表面はポリエチレンコートが施されていることが好ましい。
【００２２】
更に、本発明の濾過具において請求項７記載の如く、載置部３ａと貼着する部位の前記袋体５ａが、不織布またはパルプにポリプロピレンおよび／またはポリエチレン繊維を混和し抄紙して構成されてなることが好ましい。
【００２３】
本発明の濾過具は請求項８、９、１０に記載の如く、袋体５ａに焙煎粉砕したコーヒーを収容することにより簡便に作ることのできるレギュラコーヒーを提供することができ、このレギュラコーヒーを真空あるいは窒素ガス充填した個装とすることにより、その都度新鮮なコーヒーを楽しむことができ、同様に、濾過具の袋体５ａに紅茶や、その他の茶葉を収容することことで簡便に作ることができる紅茶や各種お茶を提供することもできる。この「茶葉」としては、日本茶（緑茶、ほうじ茶など）、中国茶（烏龍茶、鉄観音茶など）など各国の各種のお茶が該当する。
【００２４】
本発明の濾過具は請求項１１記載の如く、カップ等の容器９ａ上面に載置可能な濾過具本体１と、内部にコーヒー、紅茶等を収容可能な袋体５ａとからなり、容器９ａ上面に濾過具本体１を載置し前記袋体５ａに熱湯等を注ぐことにより抽出液を容器内部に流下すべく濾過具本体１に前記袋体５ａが取り付けられた濾過具であって、前記濾過具本体１は一対の帯片２を拡開可能に形成されてなり、該帯片２の各々には、中央部に夫々容器９ａ上部を外側より挟持可能な挟持片４が設けられてなり、且つ、該挟持片４の上側には容器９ａの開口部上縁と当接可能な載置片３を設け、さらに、前記各帯片２の折曲部２ａが帯片２の側端において下向き半Ｕ字形状に切除されていることを特徴とする。
【００２５】
このようにすると、いわゆるマグカップなどの大きな上縁カップに載置する場合において、帯片２、２の下側を末広がりにすることができ、従来の同じサイズの濾過具に比べてより大きなカップ９に取り付けることが可能となる。また、その切除する形状を半Ｕ字形状とすることにより、折曲部２ａへの応力集中を解消することも可能となる。
【００２６】
そして、本発明の望ましい実施形態としては、前記した縦折れ込み筋２ｂと前記半Ｕ字形状の切除を折曲部２ａに設けた形態である。すなわち、本発明の濾過具は請求項１１記載の如く、前記各帯片２の折曲部２ａが帯片２の側端において下向き半Ｕ字形状に切除されていることを特徴とする。これにより、濾過具の下側は末広がりに広げることが可能となり、より大きなカップに対して取り付け可能となると共に、上側は六角形状に開口させることにより広い開口部を確保することができ、お湯などが注ぎやすくなる。また、その結果として濾過具のコンパクト化を図ることも可能となる。
【００２７】
本発明の濾過具は、前記折曲部２ａの幅Ｗ２が５ｍｍ〜３０ｍｍ（更に望ましくは５ｍｍ〜２０ｍｍ）であることを特徴とする。折曲部２ａの幅を上記サイズとすることにより、折曲部２ａの適宜な柔軟性を確保し、カップ９に取り付ける際に末広がりとなり易くなる。
【００２８】
【発明の実施の形態】
次に本発明の濾過具の一実施形態について図１〜図３に示すが如く、濾過具本体１と濾過袋５とからなる濾過具について説明する。図１は濾過具の構成を説明するための正面図、図２はカップに載置された状態（使用態様）の濾過具を示す斜視図、図３は濾過具の拡開時の状態を示す斜視図である。
【００２９】
（濾過具本体１、帯片２、袋体５ａ）
濾過具本体１は、二つの帯片２が両端部の折曲部２ａで互いに連結された形態からなる。具体的には、該濾過具本体１は、帯状の厚紙、防水加工を施した紙、プラスチック製シート等の剛性を有する材質のシートを環状に連結して、この環状のシートを前記折曲部２ａで折り畳むことにより、二つの帯片２が環状に拡開するように形成されている。ここで、濾過具本体１（帯片２）は復元力を有する材料からなるため、拡開すると元の折り畳まれた状態に戻ろうと両帯片２にはお互いに他の帯片側に向かう力が働く。
【００３０】
前記二つの帯片２の間には、フィルター機能を備えた袋体５ａ（濾過袋５）を設ける。この袋体５ａは図１において、帯片２の裏側に配置するものであり、図中点線で示す。この袋体５ａの素材は濾過の対象に応じて適宜に決定する。コーヒー用としては不織布、パルプにポリプロピレンおよび／またはポリエチレン繊維を混和し抄紙したものなどが適している。袋体５ａの内側には粉砕されたコーヒーや茶葉を収容し、袋体５ａの上端を帯片２の中央上部に位置する摘み部１１に貼着する。
【００３１】
この袋体５ａの大きさは収容するコーヒーの量などにより適宜に決定すれば足りる。ここで、帯片２の上下のサイズを小さくしても、袋体５ａの上下方向がこの帯片２よりも大きなサイズでは、濾過具全体のサイズは大きくなってしまう。濾過具のコンパクト化の観点から、この袋体５ａは、帯片２に取り付けられた状態において、その下辺（袋体の下辺５１）が帯片２の下辺（帯片２の下辺２ｇ）と略一致、もしくは、より内側となる形態が望ましい。
【００３２】
（挟持片４、切欠部８）
夫々の帯片２には、中央下側に切欠部８が設けられ、この切欠部により帯片の中央下端に挟持片４が設けられる。具体的にこの切欠部８は帯片２から所定の形状を抜き取って形成される。挟持片４は、前記両帯片２を拡開して濾過具本体１をカップ９に取り付ける際、各帯片２に備わる該一対の挟持片４の上端内側でカップ９を挟持する。
【００３３】
カップ９をより安定して挟持する観点から、この切欠部８の下辺８ｂ（挟持片４の上端）は円弧形状に付形するのが望ましい。図２は本発明における濾過具の使用態様を示す。図中矢印で示すように、この切欠部８の下辺８ｂを円弧とすることで、挟持片４とカップ９が隙間なく接することとなり、より強く挟持することが可能となる。この切欠部８の下辺８ｂの円弧形状は、カップ９の形状に応じて適宜に決定すれば足りるが、通常のカップ９であれば、その半径Ｒは５０ｍｍ〜９０ｍｍ程度が望ましい。
【００３４】
また、より大きなカップ９に対応する一方である程度の強度を確保する観点から、この切欠部８の長さＬ２は、帯片２の長さＬ１の１／２〜４／５程度が望ましい。
【００３５】
（載置片３、窓部７、折れ込み筋３ｃ、３ｄ）
前記切欠部８の上側には、一定の間隔を設けて窓部７を設け、この窓部７の下端と前記切欠部４の上端で囲まれた部位に谷方向（他方の帯片２側）に折り曲げ可能である載置片３が形成される。この載置片３は、その両端に屈曲可能として、谷方向への折り曲げを可能とする。なお、窓部７も前記切欠部８と同様に所定の形状を抜き取って形成される。図１では、挟持片４と一定の間隔を設けて長手方向に細長い窓を設ける。
【００３６】
前記載置片３は、その両端に山折れ用の折れ込み筋３ｄ（山折筋３ｄ）を設け、その内側に谷折れ用の折れ込み筋３ｃ（谷折筋３ｃ）を二本設ける。本発明における載置片３はこれらの山折筋３ｄと谷折筋３ｃにより前記谷方向への折り曲げを可能とする。この実施形態では、載置片３の屈曲の容易性を考慮し、前記山折筋３ｃと谷折筋３ｃとは平行な筋とする。
【００３７】
載置片３の裏側（袋体５ａと接する部位）にはポリエチレンコートを施し、熱板シールを用いてこの載置片３と袋体５ａとを貼着し、貼着部３ｂを形成する。貼着部３ｂは前記二本の谷折筋３ｃのほぼ中央部とする。
【００３８】
なお、載置片３の可動範囲を大きくし、より多くのサイズのカップ９に対応する観点から、この載置片３の上端を構成する窓部７も横手方向にある程度の長さを備えた形態が望ましい。
【００３９】
（縦折れ込み筋２ｂ）
本発明は、濾過具の上辺をより広く開口させるべく、帯片２の各々に２本の縦折れ込み筋２ｂを設ける。この筋により帯片２は開口時に所定形状に屈曲する。この実施形態においてこの縦折れ込み筋２ｂは、貫通部分ｐと非貫通部分ｒとが交互にあるミシン目で構成する。なお、縦折れ込み筋２ｂはその筋にそって帯片２が屈曲しやすくなる構成であればよく、ミシン目以外では型押しにより細い溝をもって構成してもよい。
【００４０】
縦折れ込み筋２ｂを図１に示す。この実施形態において、縦折れ込み筋２ｂは、帯片２の長さＬ１の１／５〜１／３内側の部位であって、左右の両端それぞれに設ける。また、上下方向では、帯片２の上辺２ｆから切欠部８の上辺８ａまで、帯片２の下方に向けて外側に広がる形態とする。
【００４１】
上辺２ｆから垂直線に対して、上辺２ｆと縦折れ込み筋２ｂの成す角を角度αとすると、この角度αは３０〜９０度の範囲が望ましく、特に帯片２の屈曲し易さを考慮すると角度αは３５〜５５度の範囲が更に望ましいといえる。
【００４２】
ここで垂直線とは、帯片２の上辺２ｆに対する直角方向の線を意味する。上辺２ｆが円弧状や波形などの場合は、カップ９に載置された状態において、そのカップ上端面に垂直方向の線、もしくは、カップ９が置かれている面に垂直方向の線と定義してもよい。
【００４３】
この縦折れ込み筋２ｂは、必ずしも左右対称の形態とする必要はなく、設置する位置を変化させたり（前記角度αを適宜に変化させる形態）や、また、後述するミシン目の貫通部分ｐと非貫通部分ｒとの比率を適宜変更する形態であってもよい。
【００４４】
（折れ込み筋２ｂ、３ｃ、３ｄの相互作用）
従来の濾過具における載置片３では、その両端に単に折れ込み筋を設けただけの構成であり、載置片３は内側へ屈曲可能であったものの、袋体５が傾いた場合にその傾きに付随して、載置片３事体が傾くことはできなかった。そのため、袋体５が大きく拡開し、貼着部３ｂが傾いた場合などには、袋体５と載置片３との角度に相違が生じ、載置片３と袋体５とが剥れてしまうことがあった。
【００４５】
しかし、この発明では上記３つの折れ込み筋２ｂ、３ｃ、３ｄにより前記載置片３の移動を制御するため、従来より多様な向きの屈曲が可能となった（ねじり屈曲が可能）。特に、大きなカップ９に載置するために大きく拡開した場合であっても、袋体５の角度に応じて（袋体５と同じ向き）載置片３が任意の角度に屈曲するため、袋体５から剥れてしまうことがなくなる。
【００４６】
（ミシン目）
前記縦折れ込み筋２ｂ及び折れ込み筋３ｃ、３ｄのミシン目の拡大図を図１ｂの丸図に示す。符号ｐはミシン目の貫通部分、符号ｒはミシン目の非貫通部分である。本発明において、ミシン目の長さに対して貫通部分ｐの割合は任意である。しかし、あまりに貫通部分ｐの割合が少なくては、適宜に帯片２を屈曲させる折れ込み筋の作用が十分に発揮されないおそれがある。そこで、この実施形態ではミシン目の貫通部分ｐは各折れ込み筋２ｂ、３ｃ、３ｄの長さの５０％以上とする。
【００４７】
更に、縦折れ込み筋２ｂにおいては、この筋に沿って適宜に屈曲させ、その屈曲を適宜に保持するるする観点から、前記貫通部分ｐの長さを２〜６ｍｍ程度（望ましくは３〜６ｍｍ）、非貫通部分ｒの長さを１〜３ｍｍ程度とする。同様に、折れ込み筋３ｃ、３ｄにおいては前記貫通部分ｐの長さを１〜４ｍｍ程度（望ましくは１〜３ｍｍ）、非貫通部分ｒの長さを０．５〜２ｍｍ程度（望ましくは１〜２ｍｍ）とする。
【００４８】
（折曲部２ａ）
図１に示す帯片２の側端に位置する折曲部２ａを図１下に示す。この図は、折曲部２ａを正面に表裏の帯片２を展開した図である。図中、符号２１と示される部分が二つの帯片２を連結させた折曲部２ａである。
【００４９】
本発明では、望ましい実施形態として、この折曲部に下向き半Ｕ字形状に切除する。これにより、帯片２が末広がり状に広がることを容易にし、大きなサイズのカップ９（容器９ａ）への取り付けを可能とする。また、この切除の形状は折曲部２ａへの応力集中を解消する。
【００５０】
適切な折曲部２ａの幅Ｗ２は、帯片２の幅Ｗ１との比率によって決められる。折曲部の適宜な強度と柔軟性を確保する観点から、この幅Ｗ２は幅Ｗ１の１／６〜２／５程度の範囲（柔軟性を優先すると１／６〜１／４程度）が望ましい。具体的に、折曲部２ａの幅Ｗ２は５〜３０ｍｍ程度の範囲で実施可能であり、通常の大きさのカップ９を対象とする濾過具であれば５〜２０ｍｍ程度とする。
【００５１】
なお、従来の濾過具では、濾過具をカップ９に載置した場合に、カップ９の取手９２の形状によっては取手９２が折曲部２ａと当接し、濾過具の載置が不安定になってしまうことがあった。本発明の濾過具においては、図２に示すように取手９２が前記折曲部２の切除した部分に嵌まるようになるため、取手９２との当接を回避できる利点もある。
【００５２】
（使用方法）
次に、前述のように構成された濾過具の使用方法について、図２、３に基づいて説明する。
【００５３】
まず、図３に示すように、帯片２の中央上側に位置する摘み部１１を摘んで両帯片２を拡開し、その後、カップ９の上端の外側面に挟持部４の内側面が当接するよう、濾過具本体１をカップ９に取り付ける。取り付けた態様を図２に示す。本発明において両帯片２を拡開すると、帯片２の両側に設けられた縦折込み筋２ｂで屈曲し、その開口形状は自動的に六角形状になり、広い開口部を実現することが可能となる。また、拡開時に載置片３に設けた折れ込み筋３ｃ、３ｄが屈曲することにより、前記載置片３は谷側に突出するため、自動的に載置部３ａが形成される。
【００５４】
この載置部３ａを形成した後、この載置部３ａの下端がカップ９の上端に当接されることで濾過具本体１はカップ９上に載置固定される。また、カップ９の上端は切欠部８に嵌まり込むため、単にカップ９上に載置するだけでなく、上下方向にも適宜に保持された取り付けが可能となる。カップ９が不用意に傾いた場合などであっても、カップ９から脱落することがない。
【００５５】
（他の実施形態）
本発明における縦折れ込み筋２ｂの他の実施形態を図４、図５を用いて説明する。図４は帯片２の正面図、図５は濾過具の使用状態を示す斜視図である。図４に示すように、この実施形態では、縦折り込み筋２ｂを帯片２の上辺２ｆから帯片２の下辺２ｇまで設けたものである。その配置は、帯片２の両端から帯片２の長さＬ１の１／５〜１／３内側の部位であり、その向きは前記上辺２ｆから下辺２ｇに向けて外側へ拡大するものである。このように、本発明において、縦折り込み筋２ｂは切欠部８の上辺８ａまでではなく、帯片２の下辺２ｇまで配置する形態であってもよい。この縦折り込み筋２ｂを設けた濾過具をカップ９に取り付けた態様を図５に示す。
【００５６】
【発明の効果】
（１）  本発明の濾過具は、帯片２の両側に縦折れ込み筋２ｂを設ける。これにより、従来と同じ拡開手法であっても、その開口形状は自動的に六角形状となるので、従来の舟形の開口に比べ、より広い開口を確保することができる。また、その結果、同じサイズのカップ９に対して、濾過具のコンパクト化を図ることも可能となる。
【００５７】
（２）  本発明の濾過具は、帯片２の折曲部２ａを下向きＵ字型に切除する。これにより、帯片２は末広がりに拡開することが可能となり、コンパクトな濾過具であっても大きなカップ９に適用することが可能となる。
【図面の簡単な説明】
【図１】本発明の帯片２の一実施形態を示し、図１ａは正面図、図１ｂはミシン目の拡大図、図１ｃは折曲部２ａの部分拡大図を示す。
【図２】本発明の濾過具の使用態様図（その１）。
【図３】本発明の濾過具の拡開時の態様図。
【図４】本発明の帯片２において、縦折れ込み筋２ｂの他の形状を示す図。
【図５】本発明の濾過具の使用態様図（その２）。
【図６】従来の濾過具。
【図７】従来の濾過具の使用態様図。
【符号の説明】
１        濾過具本体
２        帯片
２ａ    折曲部
２ｂ    縦折れ込み筋
３        載置片
３ａ    載置部
３ｂ    貼着（貼着部）
３ｃ    折れ込み筋（谷折筋）
３ｄ    折れ込み筋（山折筋）
４        挟持片
５        濾過袋
５ａ    袋体
７        窓部
８        切欠部
８ａ    切欠部の上辺
８ｂ    切欠部の下辺
９        カップ
９ａ    容器
Ｌ１      帯片の長さ
Ｌ２      切欠部の長さ
Ｗ１      帯片の幅
Ｗ２      折曲部の幅
【図１】
0003709177.tif 000002
【図２】
0003709177.tif 000003
【図３】
0003709177.tif 000004
【図４】
0003709177.tif 000005
【図５】
0003709177.tif 000006
【図６】
0003709177.tif 000007
【図７】
0003709177.tif 000008